(57)【特許請求の範囲】
【請求項１】
無線電話に結合し、かつ無線電話アンテナ・ステムと嵌合するアンテナ制止およびラッチ機構であって：
前記機構を前記無線電話に装着するための底プレート；
前記底プレートに結合され、かつ前記アンテナ・ステムに嵌合する開口部を有する軸受プレート；
前記底プレートに結合され、かつ前記軸受プレートの下面に配置された制止ばね；
前記軸受プレートに結合され、かつ前記アンテナ・ステムに嵌合する開口部を有する中間プレート；
前記中間プレートに結合されたラッチ部材；
前記ラッチ部材の下面に配置された板ばね；
前記ラッチ部材の上面に配置されたボタン；および
前記機構を整合させるために前記ラッチ部材に結合され、かつ前記アンテナ・ステムに嵌合する開口部を有する上プレート；
を備え、かつ、
前記ラッチ部材は、穴を有すると共に、前記板ばね又は前記ボタンによって付与される力により前記上プレートの開口部の一部を遮断又は前記開口部と整合するように移動可能であることにより前記アンテナ・ステムの前記機構への着脱を可能にし、かつ、
前記軸受プレートは外側に複数の制止部を有すると共に、前記底プレートに軸方向に対して回転可能に結合され、前記軸受プレートに前記アンテナ・ステムが連結した状態において、前記制止ばねの頭部が、前記軸受プレートの回転途中の第１搭載位置または第２搭載位置で前記複数の制止部の一つに嵌入して前記軸受プレートの回転を係止すると共に、前記中間プレートが前記アンテナ・ステムを前記第１搭載位置または第２搭載位置に保持することにより、前記アンテナ・ステムが前記無線電話に対して位置決めされるアンテナ制止およびラッチ機構。
【請求項２】
前記底プレートは、前記軸受プレートおよび制止ばねを受けるための凹部を形成することを特徴とする請求項１記載のアンテナ制止およびラッチ機構。
【請求項３】
無線電話アンテナ・ステムと嵌合するためのアンテナ制止およびラッチ機構であって：
第１面および第２面を有する上プレート；
上面，第１面および第２面を有する板ばねであって、前記第１面は前記上プレートの前記第２面に結合される、板ばね；
前記上プレートの前記第２面に結合された第１面を有し、かつ前記板ばねの上面に配置されたラッチ部材；
第１面および第２面を有する中間プレートであって、前記第１面は前記板ばねの前記第２面および前記上プレートの前記第２面に結合された、中間プレート；
第１面および第２面を有する底プレートであって、前記第１面は第１凹部および第２凹部を画定する、底プレート；
前記底プレートの前記第１凹部内に配置された軸受プレート；および
前記底プレートの前記第２凹部内に配置された制止ばねであって、前記底プレート、軸受プレートおよび制止ばねは、前記中間プレートの前記第２面に結合される、制止ばね；
によって構成されることを特徴とするアンテナ制止およびラッチ機構。
【請求項４】
前記上プレートは、実質的に弓状であり、前記上プレートの前記第１面および第２面を貫通する第１開口部を画定することを特徴とする請求項３記載のアンテナ制止およびラッチ機構。
【請求項５】
前記第１開口部は、環状部分および線形部分を有する第１壁を画定し、前記環状部分の上に第１の複数のキーが配置されることを特徴とする請求項４記載のアンテナ制止およびラッチ機構。
【請求項６】
第１ポスト，第２ポスト，第１タブおよび第２タブは、前記上プレートの前記第２面に結合されることを特徴とする請求項３記載のアンテナ制止およびラッチ機構。
【請求項７】
前記ラッチ部材は、前記第１開口部の直径よりも大きい直径を有する第１部分と、前記第１開口部の直径よりも小さい直径を有する第２部分とを有する第２開口部を画定することを特徴とする請求項４記載のアンテナ制止およびラッチ機構。
【請求項８】
前記ラッチ部材は、前記ラッチ部材が前記上プレートの前記第２面に結合されるときに、前記第１タブを受けるための開口部を上部に有し、また前記ラッチ部材の底面は、前記ラッチ部材が前記上プレートの前記第２面に結合されるときに、前記第１ポストと嵌合する第１ノッチと、前記第２ポストと嵌合する第２ノッチとを有することを特徴とする請求項６記載のアンテナ制止およびラッチ機構。
【請求項９】
前記板ばねが前記上プレートの前記第２部分に結合されるときに、前記板ばねの第１端部は前記第１ポストの下に配置され、前記板ばねの第２端部は前記第２ポストの下に配置されることを特徴とする請求項６記載のアンテナ制止およびラッチ機構。
【請求項１０】
前記中間プレートは、前記中間プレートが前記上プレートに結合されるときに前記第１タブを受けるためのスロットを画定することを特徴とする請求項６記載のアンテナ制止およびラッチ機構。
【請求項１１】
前記中間プレートの前記第１面は、前記中間プレートの前記第２面を貫通する第１穴および第２穴を有する空洞部を画定し、また前記板ばねは、前記空洞部に受けられ、前記第１および第２ポストは、それぞれ前記第１穴および第２穴に受けられることを特徴とする請求項６記載のアンテナ制止およびラッチ機構。
【請求項１２】
前記中間プレートは、前記中間プレートの前記第１面および第２面を貫通する第３開口部を画定し、前記第３開口部は、第２環状部分および第２線形部分を有する第２壁を画定し、前記第２壁は、前記中間プレートが前記上プレートに結合されるときに、第２の複数のキーが前記第１の複数のキーと整合するように、前記環状部分に配置された第２の複数のキーを有することを特徴とする請求項５記載のアンテナ制止およびラッチ機構。
【請求項１３】
前記軸受プレートは、平坦部分を有する実質的に円筒形のリングであり、前記リングの外面は複数の制止部を画定し、前記リングの内面は、前記底プレートが前記上プレートに結合されるときに、前記第１の複数のキーと整合される第３の複数のキーを有することを特徴とする請求項５記載のアンテナ制止およびラッチ機構。
【請求項１４】
前記制止ばねの頭部は、前記軸受プレートが前記底プレートに結合されるとき、かつ前記制止ばねが前記底プレートに結合されるときに、前記軸受プレートの前記複数の制止部のうちの一つに受けられることを特徴とする請求項１３記載のアンテナ制止およびラッチ機構。
【請求項１５】
前記底プレートは、複数の装着タブを形成することを特徴とする請求項３記載のアンテナ制止およびラッチ機構。
【請求項１６】
前記アンテナ・ステムは：
ベース；および
前記ベースに結合され、貫通穴を有する隆起壁であって、前記隆起壁は、内面および外面を有し、前記外面は、前記アンテナ・ステムが当該アンテナ制止およびラッチ機構に結合されるときに、前記アンテナ制止およびラッチ機構の前記第１，第２および第３の複数のキーを受ける複数のキー受口を画定する、隆起壁；
によって構成されることを特徴とする請求項３記載のアンテナ制止およびラッチ機構。
【請求項１７】
前記複数のキー受口のうちの第１キー受口は、前記隆起壁の前記外面に形成され、かつ点Ｐから約８０°の位置にある点Ｐ１を中心とし、前記複数のキー受口のうちの第２キー受口は、前記隆起壁の前記外面に形成され、かつ点Ｐから約１９０°の位置にある点Ｐ２を中心とし、また前記複数のキー受口のうち第３キー受口は、前記隆起壁の前記外面に形成され、かつ点Ｐから約２９０°の位置にある点Ｐ２を中心とすることを特徴とする請求項１６記載のアンテナ制止およびラッチ機構。
【請求項１８】
前記隆起壁の前記外面は、複数の溝の対をさらに画定し、溝の各対は、キー受口の隣接する対の間に位置することを特徴とする請求項１７記載のアンテナ制止およびラッチ機構。
【請求項１９】
アンテナ・ステムを具備するアンテナと、送信機と、受信機と、アンテナ制止およびラッチ機構とを有する無線電話であって、前記アンテナ制止およびラッチ機構が：
前記機構を前記無線電話に装着するための底プレート；
前記底プレートに結合され、かつ前記アンテナ・ステムに嵌合する開口部を有する軸受プレート；
前記底プレートに結合され、かつ前記軸受プレートの下面に配置された制止ばね；
前記軸受プレートに結合され、かつ前記アンテナ・ステムに嵌合する開口部を有する中間プレート；
前記中間プレートに結合されたラッチ部材；
前記ラッチ部材の下面に配置された板ばね；
前記ラッチ部材の上面に配置されたボタン；および
前記機構を整合させるために前記ラッチ部材に結合され、かつ前記アンテナ・ステムに嵌合する開口部を有する上プレート；
を備え、かつ、
前記ラッチ部材は、穴を有すると共に、前記板ばね又は前記ボタンによって付与される力により前記上プレートの開口部の一部を遮断又は前記開口部と整合するように移動可能であることにより前記アンテナ・ステムの前記機構への着脱を可能にし、かつ、
前記軸受プレートは外側に複数の制止部を有すると共に、前記底プレートに軸方向に対して回転可能に結合され、前記軸受プレートに前記アンテナ・ステムが連結した状態において、前記制止ばねの頭部が、前記軸受プレートの回転途中の第１搭載位置または第２搭載位置で前記複数の制止部の一つに嵌入して前記軸受プレートの回転を係止すると共に、前記中間プレートが前記アンテナ・ステムを前記第１搭載位置または第２搭載位置に保持することにより、前記アンテナ・ステムが前記無線電話に対して位置決めされる
ことを特徴とする無線電話。
【発明の詳細な説明】
【０００１】
【産業上の利用分野】
本発明は、無線電話システムにおいて回転可能な接続を行うためのシステムに関する。本発明は幅広い範囲の用途を対象とするが、衛星無線通信システム用に特に適し、それに関連して具体的に説明する。
【０００２】
【従来の技術】
セルラ無線電話システムは、多数の基地局および無線電話ハンドセットからなる。ユーザは、基地局のうちの一つと無線通信を行うハンドセットを介して呼を受信し、発呼する。
【０００３】
IRIDIUM（登録商標）などの衛星無線通信システムは、それぞれの衛星が基地局と同じ機能を実行する、低地球極軌道上の衛星網を有する。衛星は、無線電話システムを形成するために、衛星加入者ユニット（ＳＳＵ：satellite subscriber unit）から信号を送受信して、ユーザが世界のどこからでも世界のどこにでも無線電話通話を行うことを可能にする。
【０００４】
セルラ・システムとは異なり、衛星は地球の表面に対して同一位置に留まらない。衛星はユーザの上空の半球のどこにでもありうるので、ＳＳＵのアンテナはユーザ上空の半球をカバーする利得パターンを有する必要がある。従って、設計者は半球利得パターンを有するアンテナを開発した。
【０００５】
ＳＳＵが任意の可能な低地球軌道衛星と通信するためには、ＳＳＵのアンテナは地面に対して垂直位置に配向する必要がある。この配向は、ユーザがＳＳＵを自分の右手または左手に持っているかどうかにかかわらず維持しなければならない。
【０００６】
【発明が解決しようとする課題】
米国特許第５，５５９，５２２号では、地面に対して無線電話アンテナの実質的に垂直な配向が可能なアンテナ位置決め装置について説明している。上記のアンテナ位置決めシステムは一部の無線電話構成では有用であるが、アンテナが楔形嵌合面を含まない構成など、あらゆる構成では適正動作しないことがある。従って、ＳＳＵが送信中か受信中のときに、地面に対してアンテナを垂直位置に維持する代替装置の必要がある。衛星とＳＳＵとの間で送信される信号は、セルラ・システムにおける信号よりも長い距離を移動しなければならないので、ＳＳＵのアンテナをＳＳＵのハンドセットに対してアクティブ位置に回転させても、堅牢なＲＦ接続を行う装置がさらに必要とされる。
【０００７】
【課題を解決するための手段】
本発明は、無線電話に対してアンテナを選択された位置に維持するため、無線電話アンテナと利用できるアンテナ静止およびラッチ機構を提供する。アンテナ制止およびラッチ機構は、前記機構を前記無線電話に装着するための底プレート；前記底プレートに結合された軸受プレートであって、前記軸受プレートは、前記無線電話に対してアンテナ・ステムの位置決めを行うためアンテナ・ステムと連結する、軸受プレート；前記底プレートに結合され、位置決めを助けるために、軸受プレートに対して力を与える制止ばね；前記軸受プレートに結合され、前記アンテナ・ステムを第１搭載位置または第２搭載位置に保持する中間プレート；前記中間プレートに結合され、前記アンテナ・ステムを前記機構に結合することを可能にすべく移動可能なラッチ部材；前記ラッチ部材に結合された板ばね；前記アンテナ・ステムを着脱するため、前記ラッチ部材を作動させるボタン；および前記機構を整合させるため前記ラッチ部材に結合された上プレートを含む。
【０００８】
【実施例】
以下の詳細な説明は一例としてのみであり、請求される本発明を制限するものではない。添付の図面は、本発明の好適な実施例を示し、この説明とともに、発明の原理を説明するものである。以下では、本発明の好適な実施例について詳細に説明する。
【０００９】
図１は、本発明のアンテナ制止およびラッチ機構（以下、「機構」という）３００を実施できるＳＳＵハンドセット１００の背面図を示す。図２は、機構３００と嵌合するＳＳＵアンテナ８００（図８）のアンテナ・ステム(antenna stem)２００の正面，上面および左面斜視図を示す。嵌合されると、アンテナ・ステム２００は収容位置(stowed position)から回転して、第１搭載位置(deployed position)または第２搭載位置（図７および図８）にロックできる。好適な実施例では、アンテナ・ステム２００は、好ましくはポリカーボネートを利用して射出成形され、ベース２０２と、ベース２０２に結合された脚２０４と、ベース２０２の上側２０８に結合された隆起壁２０６とを含む。隆起壁２０６は、概して第１部分２１０および第２部分２１２を有する円筒形である。第２部分２１２の外側２２０に沿って配置されるのは、複数のリッジ対(pair of ridges)２１４，２１６，２１８であり、好ましくは３つである。リッジ２１４は、平坦部分２２２を有する。
【００１０】
隆起壁２０６は、好ましくは３つである、複数のキー受口(key receptacle)２２４，２２６，２２８を含む。具体的には、リッジ２１４とリッジ２１６との間の空間は、リッジ２１４の平坦部分２２２の中心を表す点Ｐから、約８０°の位置にある点Ｐ１を中心とした第１キー受口２２４を形成する。リッジ２１６とリッジ２１８との間の空間は、点Ｐから約１９０°の位置にある点Ｐ２を中心とした第２キー受口を形成する。リッジ２１８とリッジ２１４との間の空間は、点Ｐから約２９０°の位置にある点Ｐ３を中心とした第３キー受口２２８を形成する。好ましくは、キー受口２２４，２２６，２２８は、８．５ｍｍの深さＤだけ延在する。
【００１１】
図３は、本発明の機構３００の好適な実施例の分解図を示す。機構３００は、上プレート３０２；ラッチ部材３２０；板ばね３０３；中間プレート３４０；軸受プレート３６０；制止ばね(detent spring)３７４；底プレート３８０；およびボタン３９６を含む。好ましくは、上プレート３０２はポリカーボネートからなり；中間プレート３４０および底プレート３８０は、デルリン(Delrin)（登録商標）５００からなり；板ばね３０３および制止ばね３７４は、ばね鋼１０７５からなり；ラッチ部材３２０は鋼１０７５からなり；軸受プレート３６０は、粉末金属で、好ましくは３１６Ｌ燒結ステンレス鋼からなり；ボタン３９６はポリカーボネートからなる。
【００１２】
上プレート３０２は、機構３００を整合させ、保持する。上プレート３０２は、好ましくは弓状であり、第１面（図示せず）および第２面３０４を有し、実質的に円筒形の開口部３０６が第１面および第２面３０４を貫通している。好適な実施例では、開口部３０６は、アンテナ・ステム２００の隆起壁２０６（図２）の直径よりも若干大きい直径を有する。開口部３０６は、上プレート３０２の内面３０８を画定する。内面３０８は、実質的に円筒形であり、機構３００およびアンテナ・ステム２００が結合されたときに、アンテナ・ステム２００の平坦部分２２２（図２）と嵌合する平坦部分３１０を有する。
【００１３】
上プレート３０２の内面３０８に配置されるのは、好ましくは３つである、複数のキー３１２，３１４，３１６である。キー３１２，３１４，３１６の間隔は、ステム底が機構３００と嵌合するときに、キーがアンテナ・ステム２００のキー受口２２４，２２６，２２８（図２）に摺動可能に受け止められるようになっている。具体的には、第１キー３１２は、平坦部分３１０の中心から約８０°の位置にある点を中心とし；第２キー３１４は、平坦部分３１０の中心から約１９０°の位置にある点を中心とし；第３キー３１６は、平坦部分３１０の中心から約２９０°の位置にある点を中心としている。また、上プレート３０２は、第１ポスト３１８，第２ポスト３１７、タブ３１９および第２面３０４に対して垂直に配置された方形ブロック３１５を含む。
【００１４】
機構３００の組み立て中に、板ばね３０３は第１面３０５上で上プレート３０２の第２面３０４の底部分に結合される。板ばね３０３の一端３０７は、第１ポスト３１８の下に配置され、他端３０９は、第２ポスト３１７の下に配置され、ばね３０３の中間部分は方形ブロック３１５の上に残る。板ばね３０３は、ラッチ部材３２０をアンテナ・ステム２００（図２）の着脱のための位置に移動させるのを助ける。
【００１５】
ラッチ部材３２０は、アンテナ・ステム２００を着脱させるために移動可能である。ラッチ部材３２０は一般に弓状であり、上部の方形部分３２２を有し、第２円筒形穴３２４を画定する。穴３２４は、第１部分３２８および第２部分３３０を有する内面を画定する。第１部分３２８に対する穴３２４の半径は、好ましくは１０．６ｍｍであり、第２部分３３０に対する穴３２４の半径は、好ましくは９．８３６ｍｍである。第２円筒形穴３２４に隣接して配置されているのは、ラッチ部材３２０が第２面３０４に結合されるときに上プレート３０２のタブ３１９を受けるための開口部３２６である。ラッチ部材３２０の底面３３１は、ラッチ部材３２０が上プレート３０２に結合されるときに上プレート３０２のポスト３１７，３１８の上に配置される第１開口部３２７および第２開口部３２９を有する。
【００１６】
中間プレート３４０は、機構３００の制止部分を機構３００のラッチ部分から分離させ、アンテナ・ステム２００を搭載位置（図９および図１０）に保持する。中間プレート３４０は、好ましくは弓状であり、アンテナ・ステム２００の隆起壁２０６（図２）よりも若干大きい直径を有する第３円筒形穴３４２を画定する。中間プレート３４０の内面３４４上に配置されるのは、好ましくは３つである、複数のキー３４６である。また、内面３４４は、平坦部分３４７を画定する。キー３４６の間隔は、好ましくは上プレート３０２のキー３１２，３１４，３１６の間隔と同じである。また、中間プレート３４０は、２つの開口部３４８および方形ノッチ３５０を含む。２つの開口部３４８は、上プレート３０２の第２面３０４上に設けられたポスト３１７，３１８を受けるためのものである。ノッチ３５０は、上プレート３０２の第２面３０４上に設けられたタブ３１９を受けるためのものである。
【００１７】
好適な実施例では、底プレート３８０は、弓状であり、第１部分４０２および第２部分４０４(図４)を有する凹部を画定する。第１部分４０２は環状であり、それぞれ上プレート３０２および中間プレート３４０の第１円筒形穴３０６および第３円筒形穴３４２の直径と好ましくは同じ直径を有する。凹部の第１部分４０２に形成されるのは、第４円筒形穴４１２である。凹部の第２部分４０４は実質的に三角形であり、水平脚４０６および２つの斜め脚(diagonal legs)４０８，４１０を形成する。また、底プレート３８０は、上プレート３０２の第２面３０４上に設けられたポスト３１７，３１８を受けるための２つの開口部３８４（図３）を含み、さらに機構３００をハンドセット・ハウジング（図示せず）に結合するための複数の装着タブ３８６を含む。
【００１８】
軸受プレート３６０は、アンテナ・ステム２００（図２）と連結し、位置決めを行う。軸受プレート３６０は、好ましくは、内側３６２および外側３６４を有するリングを形成する。内側３６２は、平坦部分３６３と、好ましくは３つである、複数のキー３７２を形成する。キー３７２の間隔は、それぞれ中間プレート３２０および上プレート３０２のキー３４６およびキー３１２，３１４，３１６の間隔と実質的に同じである。軸受プレート３６０の外側３６４に形成されるのは、好ましくは３つである、複数の制止部(detent)３６６，３６８，３７０である。第１制止部３６６は、（外側３６４上に反映されるように）平坦部分３６３の中心から約４５°に位置する点を中心にしている。第２制止部３６８は、平坦部分３６３の中心から約１８０に位置する点を中心にしている。第３制止部３７０は、平坦部分３６３の中心から約３１５°に位置する点を中心にしている。
【００１９】
制止ばね３７４は、ＳＳＵハンドセット１００（図９および図１０）に対してＳＳＵアンテナ８００（図８）の位置決めを行うため、軸受プレート３６０に対して力を与える。制止ばね３７４は、頭部３７６および２つの腕部３７７，３７８を有する。機構３００の組み立て中に、軸受プレート３６０および制止ばね３７６は、底プレートの凹部の第１部分４０２および第２部分４０４にそれぞれ受けられる。軸受プレートは、底部分３６３がそれぞれ上プレート３０２および中間プレート３４０の平坦部分３１０，３４７と整合するように、凹部に配置される。制止ばねは、ばねの頭部３７６が制止部３６８（図５参照）に受けられるように凹部に配置される。
【００２０】
機構３００が図６および図７に示すように完全に組み立てられ、図１に示すようにハンドセット１００に結合されると、アンテナを収容（非アクティブ）位置（図６），第１搭載（アクティブ）位置（図７）、あるいは第２搭載位置（図８）で維持するために、アンテナ・ステム２００の隆起壁２０６と連動して用いられる。
【００２１】
図６は、非係合位置（アンテナ８００（図８）がハンドセット１００に結合されていない位置）の機構３００を示す。非係合位置では、ラッチ部材３２０の第２部分３３０は、上プレート３０２の第１円筒形穴３０６の一部を遮断し、アンテナ・ステム２００が機構３００に結合するのを防ぐ。ユーザがＳＳＵアンテナ８００をハンドセット１００に結合したいとき、機構３００は次のようにして係合される。まず最初に、ユーザは、ハンドセット１００の上面の上にあるボタン３９６（図１）を押す。ボタン３９６は、ラッチ部材３２０の方形部分３２２に対して下方向の力を印加する。この下方向の力は、図７に示すようにラッチ部材３２０の内面３２６の第２部分３３０が上プレート３０２の第１円筒形穴３０６と整合するまで、ラッチ部材３２２を下方向に移動させる。これにより、キー受口２２４，２２６，２２８（図２）が機構３００のキー３１２，３１４，３１６，３４６，３７２（図３）と整合されるように隆起壁２０６が配向されると、機構３００はアンテナ・ステム２００の隆起壁２０６を受けることができる。隆起壁２０６が機構３００に受けられると、ユーザはハンドセット１００のボタン３９６を開放でき、機構３００は固定される。
【００２２】
図８は、収容位置(stowed position)（非アクティブ位置）のアンテナ８００を示す。アンテナ８００が収容位置にあるとき、制止ばね３７４の頭部３７６は、軸受プレートの制止部３６８に配置される。収容位置から、アンテナ８００は時計方向に回転して、第１搭載位置（図９）にすることができる。アンテナを時計方向に回転して第１搭載位置にすることにより、軸受プレート３６０は、制止ばね３７４の頭部３７６が制止部３７０内に嵌入するまで時計方向に移動する。アンテナをさらに時計方向に回転して第２搭載位置（図１０）にすることにより、軸受プレート３６０は、制止ばね３７４の頭部３７６が制止部３６６内に嵌入するまで時計方向に移動する。また、アンテナは、上記の方法と同様にして、反時計方向に回転して搭載位置にすることができる。第１搭載位置は、ＳＳＵを自分の左耳に当てる左利きの人によって用いられると思われる。第２搭載位置は、ＳＳＵを自分の右耳に当てる右利きの人によって用いられると思われる。
【００２３】
本発明のアンテナ制止およびラッチ機構３００は、アンテナ８００が適切な搭載位置にあるときにのみＳＳＵが信号を送受信することを可能にする。また、機構３００は、ユーザがＳＳＵを右手で持っているかどうかに関係なく、通話中にアンテナ８００が地面に対して垂直方向で維持されることを保証する。
【００２４】
当業者であれば、本発明の範囲および精神から逸脱せずに、本発明の装置および本装置の構造についてさまざまな修正および変形が可能であることが理解されよう。
【図面の簡単な説明】
【図１】本発明のアンテナ制止およびラッチ機構の好適な実施例を内蔵するＳＳＵハンドセットの背面図である。
【図２】本発明のアンテナ制止およびラッチ機構と利用できるアンテナ・ステムの好適な実施例の正面，上面および左面斜視図である。
【図３】本発明のアンテナ制止およびラッチ機構の好適な実施例の分解図である。
【図４】本発明の底プレートの正面図である。
【図５】軸受プレートおよび制止ばねが内部に配置された、図４の底プレートの正面図である。
【図６】ラッチ部材が係合位置にある、図３の組み立てられたアンテナ制止およびラッチ機構の好適な実施例の正面図である。
【図７】ラッチ部材が非係合位置にある、図３の組み立てられたアンテナ制止およびラッチ機構の好適な実施例の正面図である。
【図８】アンテナが収容位置にある、ＳＳＵの背面図である。
【図９】アンテナが第１搭載位置にある、ＳＳＵの背面図である。
【図１０】アンテナが第２搭載位置にある、ＳＳＵの背面図である。
【符号の説明】
１００  ＳＳＵユニット
２００  アンテナ・ステム
２０２  ベース
２０４  脚
２０６  隆起壁
２０８  上側
２１０  第１部分
２１２  第２部分
２１４，２１６，２１８  リッジ対
２２０  外側
２２２  平坦部分
２２４，２２６，２２８  キー受口
３００  アンテナ制止およびラッチ機構
３０２  上プレート
３０３  板ばね
３０４  第２面
３０６  開口部
３０７  板ばねの一端
３０８  内面
３０９  板ばねの他端
３１０  平坦部分
３１２，３１４，３１６  キー
３１５  方形ブロック
３１７  第２ポスト
３１８  第１ポスト
３１９  タブ
３２０  ラッチ部材
３２２  方形部分
３２４  第２円筒形穴
３２６  開口部
３２７  第１開口部
３２８  第１部分
３２９  第２開口部
３３０  第２部分
３３１  底面
３４０  中間プレート
３４２  第３円筒形穴
３４４  内面
３４６  複数のキー
３４７  平坦部分
３４８  ２つの開口部
３５０  方形ノッチ
３６０  軸受プレート
３６２  内側
３６３  平坦部分
３６４  外側
３６６，３６８，３７０  制止部
３７２  複数のキー
３７４  制止ばね
３７６  頭部
３７７，３７８  腕部
３８０  底プレート
３８４  ２つの開口部
３８６  複数の装着タブ
３９６  ボタン
４０２  第１部分
４０４  第２部分
４０６  水平脚
４０８，４１０  斜め脚
４１２  第４円筒形穴
８００  ＳＳＵアンテナ
【図１】
0004358381.tif 000002
【図２】
0004358381.tif 000003
【図３】
0004358381.tif 000004
【図４】
0004358381.tif 000005
【図５】
0004358381.tif 000006
【図６】
0004358381.tif 000007
【図７】
0004358381.tif 000008
【図８】
0004358381.tif 000009
【図９】
0004358381.tif 000010
【図１０】
0004358381.tif 000011